(57)【要約】  紙のシートに印刷するための手段、紙のシートをカットするための手段、命令を受信するための手段を備えた周辺機器を使用する、少なくとも２枚の紙のシートを綴じる方法に関し、以下のステップを具備する。  −第１シート上に、少なくとも１つのスリット形状の「雌」切込みモチーフを形成するステップ。  −形成された各々の前記スリット用に、第２シートに、スリットと関連する中央部及び中央部の両端の２つのカットを備える「雄」切込みモチーフを形成するステップ。  −関連する形成ステップの手段によって、各々の残りのシートに少なくとも１つの「雌」タイプモチーフ又は少なくとも１つの「雄」タイプモチーフを形成するステップであって、残りのシート全てが同一のモチーフを有するステップ。  −「雄」モチーフを「雌」モチーフの中に挿入することによって、同一のモチーフを有する各々のシートを異なるモチーフを有するシートと共に手で綴じるステップ。
2009511301.tif 000002
【特許請求の範囲】
【請求項１】
紙のシートに印刷するための手段、前記紙のシートをカットするための手段、及び命令を受信するための手段を備えた周辺機器を使用する、少なくとも２枚の前記紙のシートの紙綴じ方法であって、
−前記周辺機器の前記カット手段を使用して、第１シート（１，１１，２１）の一の縁部に近接して配置されている所定の位置において、前記第１シート（１，１１，２１）の点Ａから点Ｂまで通るスリットの形状を有している少なくとも１つの「雌」切込みモチーフを形成するステップと、
−形成された各々の前記スリット用に、第２シート（２，１２，２２）に、前記スリットと関連する「雄」切込みモチーフであって、前記「雄」モチーフと関連する前記スリットの点Ａ及び点Ｂを経て通る線上に配置された点Ｃ及びＤによって規定される中央部、及び前記中央部の両端の２つの切込み（ｉ）を備える「雄」切込みモチーフを形成するステップであって、第１切込みは点Ｃから始まり、前記第２シート（２，１２，２２）の一の縁部に向かって通り、第２切込みは点Ｄから始まり、前記第２シート（２，１２，２２）の一の縁部に向かって通り、前記中央部の長さは、関連する前記スリットの点Ｂから点Ａを隔てている長さ以下であり、前記切込みは前記周辺機器の前記カット手段を使用して得られるステップと、
−２枚より多いシートがある場合に、関連する形成ステップの手段によって、残りの前記シートの各々に少なくとも１つの前記「雌」タイプモチーフ又は少なくとも１つの前記「雄」タイプモチーフを形成するステップであって、前記残りのシート全てが同一のモチーフを有するステップと、
−前記「雄」モチーフを前記「雌」モチーフの中に挿入することによって、同一のモチーフを有する各々の前記シートを、異なるモチーフを有する前記シートと手で綴じるステップと、
を具備していることを特徴とする方法。
【請求項２】
前記周辺機器の前記カット手段を使用して点Ｃ及び／又は点Ｄから始まり前記第２シート（２，１２，２２）の縁部に向かって通る少なくとも１本の折り線（ｊ）を形成し、前記折り線（ｊ）に沿って折られた前記「雄」切込みを前記「雌」切込みの中へ挿入するのを容易にするステップを更に具備していることを特徴とする請求項１に記載の紙綴じ方法。
【請求項３】
点Ｃ（点Ｄ）から始まる前記折り線（ｊ）は、点Ｃ（点Ｄ）から始まる前記切込みと鈍角（θ）を形成し、前記鈍角は９０°〜１３５°の範囲にあることを特徴とする請求項２に記載の紙綴じ方法。
【請求項４】
前記「雄」切込みモチーフは、点Ｃから始まる折り線と点Ｄから始まる折り線との２本の折り線（ｊ）を含んでいることを特徴とする請求項２又は請求項３に記載の紙綴じ方法。
【請求項５】
点ＡとＢとの間に位置する所定の点から前記シートの外側へ向かって通る、スリットの形状の前記雌モチーフから始まる少なくとも１つの切込み（ｉ）を形成するステップを更に具備していることを特徴とする請求項１から４のいずれか１項に記載の紙綴じ方法。
【請求項６】
前記スリットは、点Ａ及び点Ｂから等距離に配置されている単一の切込みを備えていることを特徴とする請求項５に記載の紙綴じ方法。
【請求項７】
前記スリットは２本の切込みを備え、第１切込みは、前記スリット上に位置している点Ａ’から始まり、第２切込みは、前記スリット上に位置している点Ｂ’から始まり、距離ＡＡ’及びＢＢ’は等しいことを特徴とする請求項５に記載の紙綴じ方法。
【請求項８】
２枚の連続したシートのための、切込み（ｉ）の線と印刷された領域との間の余白は、２枚のシートのうち１枚の厚さ以下であることを特徴とする請求項１から７のいずれか１項に記載の紙綴じ方法。
【請求項９】
少なくとも１つの前記「雌」切込みモチーフの所定の位置はまた、前記シート（１，１１，２１）の角部にも近接して配置されていることを特徴とする請求項１から８のいずれか１項に記載の紙綴じ方法。
【請求項１０】
前記「雌」切込みモチーフの前記スリットは、点Ａから点Ｂへ通る直線であることを特徴とする請求項１から９のいずれか１項に記載の紙綴じ方法。
【請求項１１】
各々のシート上の前記切込み又は複数の前記切込みは、前記紙のシートの中に深く浸透することができる吸収性インクを使用して問題のシート上の前記切込みのための前記モチーフを印刷し、次いで、前記シートに、受信した命令の作用として、前記吸収性インクを付けられた位置によって吸収される波長で照射された低出力レーザービームを当てることによって形成され、このレーザーの出力は前記インクを付けられた位置において前記紙のシートを切り離すのに十分であることを特徴とする請求項１から１０のいずれか１項に記載の紙綴じ方法。
【請求項１２】
所定のシート上の少なくとも１本の前記折り線（ｊ）は、前記紙のシートの中に深く浸透することができる前記吸収性インクを使用して問題のシート上に前記少なくとも１本の折り線を印刷し、次いで、前記シートに、受信した命令の作用として、前記吸収性インクを付けられた位置によって吸収される波長で照射された低出力レーザービームを当てることによって形成され、このレーザーの出力は前記吸収性インクを付けられた位置において、前記紙の部分切除を達成するのに十分であることを特徴とする請求項１から１１のいずれか１項に記載の紙綴じ方法。
【請求項１３】
前記レーザーは、各々のレーザーが個別に制御された複数のレーザーを備える、マトリクス状のレーザーからなる前記レーザーの１つであることを特徴とする請求項１１又は請求項１２に記載の紙綴じ方法。
【請求項１４】
綴じられる少なくとも１枚の前記シートは、前記装置の前記印刷手段を使用して印刷されることを特徴とする請求項１から１３のいずれか１項に記載の紙綴じ方法。
【発明の詳細な説明】
【技術分野】
【０００１】
本発明は少なくとも２枚のページを１つに綴じ、１つの綴じられた書類を得る方法に関する。前記方法は、複数のページを綴じ、書類を形成することを必要とする、特に事務の分野の多くの過程における用途に使用される。
【背景技術】
【０００２】
複数のページを連結し、完全な書類を作る多くの手法が、印刷及び出版の世界で知られている。言及され得る特定の技術は、製本、ステープル、接着、又はクリップ手段又は紙上に存在する目打ちの手段によって位置決めされる機械的保持手段（ルーズリーフファイル）の使用である。
【０００３】
書類のページを１つに連結するための、このような既知の解決法は、消耗品又は特定の付属物（ステープル、紙クリップ、ファイル、等）の使用を必要としている。しかし、利用できる機材は、綴じる機能を持たない従来のオフィスプリンター（高価なプリンターのみがこのような機能を有している）のみである場合があり、消耗品又は綴じるための付属品は手に届く範囲にない可能性がある。
【０００４】
更に、このような消耗品又は固定用付属物の存在は、不利を招く場合がある。例として、書類上の目障りなステープルは取り除かれなくてはならない場合があるか、又は、紙クリップの使用は、それらがそれらの固定位置から滑り、失われやすいので、避けなければならない場合がある。また、例えば紙クリップ又はステープルのような金属要素の存在が、綴じられた書類が切り刻まれる際に、（紙の書類を切り刻むための）紙シュレッダーの使用を妨げる可能性がある。
【特許文献１】仏国特許発明第２８５０３０８号明細書（又は国際公開第２００４／０６９５４２号パンフレット）
【発明の開示】
【発明が解決しようとする課題】
【０００５】
本発明は、従来技術の綴じる手段を使用しなくても、ページを綴じ、完全な書類を形成する簡単な方法を提供する。
【課題を解決するための手段】
【０００６】
本発明は、カット及び印刷装置、例えば、特許文献１に開示されているような装置の使用を提案しており、この特許文献１は、記述の最後において、ページを１つに綴じるための「オールペーパー（all paper）」解決法を提供することについて言及している。
【０００７】
よって、本発明は、紙のシートに印刷するための手段、前記紙のシートをカットするための手段、及び命令を受信するための手段を備えた周辺機器を使用する、少なくとも２枚の紙のシートの紙綴じ方法に関し、この方法は、以下のステップを具備していることを特徴としている。
【０００８】
−周辺機器のカット手段を使用して、前記シートの一つの縁部に近接して配置されている所定の位置において、第１シートの点Ａから点Ｂまで通るスリットの形状を有している少なくとも１つの「雌」切込みモチーフ（cut motif）を形成するステップ。
【０００９】
−形成された各々のスリット用に、第２シートに、スリットと関連する「雄」切込みモチーフであって、前記「雄」モチーフと関連するスリットの点Ａ及び点Ｂを経て通る線上に配置された点Ｃ及びＤによって規定される中央部、及び前記中央部の両端の２つの切込みを備える切込みモチーフを形成するステップであって、第１カットは点Ｃから始まり、前記第２シートの一つの縁部に向かって通り、第２切込みは点Ｄから始まり、前記第２シートの一つの縁部に向かって通り、中央部の長さは、関連するスリットの点Ｂから点Ａを隔てている長さ以下であり、切込みは周辺機器のカット手段を使用して得られるステップ。
【００１０】
−２枚より多いシートがある場合に、関連する形成ステップの手段によって、残りのシートの各々に少なくとも１つの「雌」タイプモチーフ又は少なくとも１つの「雄」タイプモチーフを形成するステップであって、前記残りのシート全てが同一のモチーフを有するステップ。
【００１１】
−「雄」モチーフを「雌」モチーフに挿入することによって、同一のモチーフを有する各々のシートを、異なるモチーフを有するシートと手で綴じるステップ。
【００１２】
「スリット」という用語は、シートの表面領域の中に形成された切込みに用いられ、このスリットは、スリットの形状において、切込みの両側のカットされていない空白を有する。好適には、前記空白の長さは５ｍｍ（ミリメートル）又はそれ以上である。例として、スリットの切込みは、シートの縁のうち１つから５ｍｍ又はそれ以上の距離で止まっている。
【００１３】
中央「雄」切込みモチーフの両端における２本の切込みは、タブが形成されることを可能にし、これらのタブは、「雌」切込みモチーフのスリットの中に挿入され、「雄」モチーフが「雌」切込みモチーフから外れることを防ぐだろう。
【００１４】
好適には、切込みはシートの印刷されていない領域（文章、図等がない）、例えば、印刷された文章を超えた余白に配置され、よって切込みの存在は、印刷されたシートを読むことを妨げることはない。
【００１５】
単一のシートが１以上の「雌」タイプ切込みモチーフを備え、別のシートの全てが１以上の「雄」タイプ切込みモチーフを備えることが可能であり、又は逆に、独自のモチーフのタイプを備えているシートが、綴じられた書類の最初のページ又は前記書類の最後のページを構成することが可能である。
【００１６】
有利には、紙綴じ方法は、周辺機器のカット手段を使用して点Ｃ及び／又は点Ｄから始まり第２シートの縁部に向かって通る少なくとも１本の折り線を形成し、「雄」切込みを「雌」切込みの中へ挿入するのを容易にするステップを更に具備し、シートは折り線又は複数の折り線に沿って折られる。折り目はシートの厚さの半分のカットであることは、思い起こすべきである。
【００１７】
好適には、点Ｃ（点Ｄ）から始まる折り線は、点Ｃ（点Ｄ）から始まる切込みと鈍角を形成し、前記鈍角は９０°〜１３５°の範囲にある。この角度は、折り線に沿って「雄」モチーフを備えているシートを手で折ることによって、「雄」切込みモチーフが、容易に（例えば滑らせることによって）「雌」切込みモチーフの中に挿入されることを可能にする、ひとたび挿入されれば、「雄」切込みモチーフは広がることができ、よって、「雄」切込みモチーフはタブを形成し、これらのタブは「雄」モチーフが「雌」モチーフから離脱することを防止する。
【００１８】
変形形態においては、「雄」切込みモチーフは、点Ｃから始まる折り線と点Ｄから始まる折り線との２本の折り線を含んでいる。
【００１９】
有利には、紙綴じ方法は、点Ａ及びＢの間に位置する所定の点からシートの外側へ向かって通る、スリットの形状の雌モチーフから始まる少なくとも１つの切込みを形成するステップを更に具備している。
【００２０】
第１の変形形態においては、スリットは、点Ａ及びＢから等距離に配置されている単一の切込みを備えている。
【００２１】
第２の変形形態においては、スリットは２本の切込みを備え、第１切込みは、スリット上に位置している点Ａ’から始まり、第２切込みは、スリット上に位置している点Ｂ’から始まり、距離ＡＡ’及びＢＢ’は等しい。
【００２２】
変形形態においては、２枚の連続したシートのための余白、すなわちカットの線と印刷された領域との間の空白は、２枚のシートのうち１枚の厚さ以下である。また、前記余白はゼロの場合がある。よって、これは、「内側余白無し」効果を生み出し、この効果は特に素晴らしく、例えば２枚のページにわたって印刷される写真、イラスト、又は大きな表に対して提供することができる。
【００２３】
有利には、また、前記少なくとも１つの「雌」切込みモチーフの所定の位置はまた、シートの角部にも近接して配置されている。「角部」という用語は、シートの２つの隣接した縁が交わる位置を意味する。
【００２４】
有利には、「雌」切込みモチーフのスリットは、点Ａから点Ｂへ通る直線である。概して、切込みの全ては、直線又は曲線とすることができる。
【００２５】
有利には、各々のシート上の切込み又は複数の切込みは、前記紙のシートの中に深く浸透することができる吸収性インクを使用して問題のシート上の切込みのためのモチーフを印刷し、次いで、シートに、受信した命令の作用として、吸収性インクを付けられた位置によって吸収される波長で照射された低出力レーザービームを当てることによって形成され、このレーザーの出力はインクを付けられた位置において紙のシートをカットするのに十分なレーザーの出力である。
【００２６】
有利には、シート上の前記少なくとも１本の折り線は、前記紙のシートの中に深く浸透することができる吸収性のインクを使用して問題のシート上に前記少なくとも１本の折り線を印刷し、次いで、前記シートに、受信した命令の作用として、吸収性インクを付けられた位置によって吸収される波長で照射された低出力レーザービームを当てることによって形成され、このレーザーの出力は吸収性インクを付けられた前記位置において、紙の部分切除を達成するのに十分なレーザーの出力である。
【００２７】
紙の部分切除は、前記折り線において紙のシートをカットさせなくても、紙のシートを折り線において簡単に折り曲げることを可能にする。
【００２８】
有利には、レーザーは、各々のレーザーが個別に制御された複数のレーザーを備える、マトリクス状のレーザーからなるレーザーの１つである。実際には、単独のレーザーの使用の代わりに、マトリクス状のレーザー、すなわち、個別に制御されたマトリクスの各々のレーザーによる複数のレーザーを備えたマトリクスを使用し、取り除かれる領域にわたって通過させて放射物を放射することもまた可能である。このようにして、スキャン中に紙をカットする操作を行うことが可能であり、また、このスキャンは、紙のシート上に印刷するために使用される。このようなマトリクスは、百又は数百のレーザーダイオードを備えることができる。例えば、それは複数のダイオードのストリップ（strip）を一つに組立てることによって作ることができる。このように、単一のレーザーの代わりにマトリクス状のレーザーを使用することは、インク付けステージの後で、紙保持ステージにおいて行われるカットを回避可能にする場合があり、マトリクス状のレーザーを紙と共に移動させることによって、マトリクス状のレーザーを使用した紙の上の切込みの線をたどることである。このようにして、「一定速度スキャン」モードでカットを行うことが可能となり、このモードは、インク付けステージ用に一般的に使用されるモードである。このようにして、同一の紙カットステージの間に、インク付け及びカットを行うことが可能となる。紙の全て又は部分的なカットは、このようにして、紙のシートの上を横切るマトリクス状のレーザーの１回以上のスキャンによって得られる。
【００２９】
有利には、シート上の前記少なくとも１本の折り線は、例えばカッターナイフを使用して、紙を機械的に半分カットすることによって作られる。
【００３０】
有利には、綴じられる少なくとも１枚のシートは、装置の印刷手段を使用して印刷される。印刷は、前記シート上の切込み又は折り線を作るステップの前又は後に行うことができる。
【００３１】
添付図面を参照して成される制限のない実施例の手段によって与えられる、以下の記述から、本発明はより理解されるとともに、別の有利点及び特徴が明らかになるだろう。
【発明を実施するための最良の形態】
【００３２】
シートの一つの縁（シートの長辺又はシートの短辺）に沿った切込み、又はシートの角部に近接した切込みを作ることによって、複数のシートを綴じ、書類を形成することができる。
【００３３】
使用されるシートは、例えば、プリンターでごく普通に使用されているＡ４又は「ＵＳ法」フォーマット（アメリカン・フォーマット）のシートとすることができる。
【００３４】
記述は、シートの長辺に沿って作られた様々な紙綴じ体から始まる。
【００３５】
２枚のシート１及び２を綴じるために、スリット（雌タイプ切込みモチーフ）が、第１シート１に作られている（図１ａ参照）。ここで、スリットは直線ＡＢであり、切込みの線ｉとして破線で示されており、スリットはシート１の左側縁と平行に、シートの長辺にそって、左側縁から距離ｍに配置されている。例として、距離ｍは１．５ｃｍ（センチメートル）である。好適には、スリットが配置されることで、両端Ａ及びＢを越えた空白ｄが存在するようになる。この実施例においては、２ｃｍの空白がスリットの両端を越えて残される。
【００３６】
第２シート２（図１ｂ参照）において、第１切込みｉ（破線）は、シート２の左側縁から距離ｍに作られており、点Ｃから始まり、シート２の上縁まで通り、シートの左側縁と平行であり、第２切込みｉは点Ｄから始まりシートの下縁まで通り、シートの左側縁と平行である（図１ｂ参照）。これによって２つのタブ３がシート２に形成される。点Ｃ（点Ｄ）はシートの上（下）縁から距離ｆに配置されている。距離ｆは、距離ｄよりも意図的に僅かに長くされており（例えば２．２ｃｍ）、よって、点ＣとＤとの間の中央部は、スリットの点ＡとＢとの間のスペースの中に通すことができる。距離ｍ（左側縁からの距離）は意図的に両方のシートで同一にされており、よって、綴じられたシートはぴったりと合う。
【００３７】
続いて、中央部ＣＤをスリットＡＢの中に挿入することによって、又は、言い換えれば、第２シート２のタブ３を第１シート１のスリットの中に挿入することによって、第１シートが、第２シートと綴じられる。
【００３８】
中央部ＣＤをスリットＡＢの中へ挿入することを容易にするために、折り線ｊ（点線）を作ることができ、例えばこれらの折り線ｊは、点Ｃから始まり、シート２の左側縁に向かって直線状に通り、点Ｃから始まる切込みｉと１３５°の角度θを形成する折り線ｊ、及び点Ｄから始まりシート２の左側縁に向かって直線状に通り、点Ｄから始まる切込みｉと１３５°の角度を形成する折り線ｊである（図２参照）。折り目は、中央部ＣＤがスリットＡＢの中に挿入される前に、これらの折り線に沿って形成され、次いで、シート２が広がり、タブ３が、中央部ＣＤがスリットＡＢから離脱することを防いでいる。
【００３９】
中央部ＣＤをスリットＡＢの中へ挿入することを容易にするための更なる手段は、スリットＡＢから始まる切込みｉを作ることである。例として、図３において、第１切込みｉは、スリット上に配置された所定の点Ａ’から始まり、シート１の左側縁に向かって通り、第２切込みｉはスリット上に配置された所定の点Ｂ’から始まり、シート１の左側縁に向かって通る。このようにして、２つのタブ４が形成され、タブ４の間（ハッチングされた領域）に配置された切抜き部５が取り除かれる。好適には、距離ＡＡ’及びＢＢ’は意図的に十分に大きくされており、タブ４はスリットの中の適所に中央部ＣＤを保持することができる。好適には、距離ＡＡ’及びＢＢ’は等しい。図３においては、１３５°の角度δが、点Ａ’（Ｂ’）から始まる切込みｉの線と線ＡＡ’（ＢＢ’）との間に形成されている。
【００４０】
また、解決策は、スリットにおける切込みと共に、点Ｃ及びＤに折り線を設けることを組み合わせることができる。
【００４１】
また、シート１１上の１より多いスリット及び、スリットと関連した第２シート１２上の同数の「雄」タイプの切込みモチーフを設けることが可能である。例として、シート１１の左側の縁と平行に配置され、シート１１の左側の縁から距離ｍに配置された１枚のシート１１上の２つのスリットを設けることが可能であり（図４ａ）、別のシート１２上には、スリットと関連した２つの「雄」切込みモチーフを設けることが可能である（図４ｂ）。各々の「雄」切込みモチーフは、好適には、点Ｃ（点Ｄ）から始まり、シート１２の左側縁まで９０°の角度で通る、折り線ｊ、さらに、点Ｃ（点Ｄ）をシート１２の縁から隔てている距離ｆに満たない点Ｃ（点Ｄ）から距離ｎの位置において、左側の縁まで通り９０°の角度を形成している切込みｉを含んでいる。前記追加の切込みｉは取り除かれる部分１５を形成している（ハッチングされた領域）。
【００４２】
同一の方法で、２枚より多いシートを、別のシート状に１つのシートの切込みモチーフ又は複数の切込みモチーフを複製することによって、及び１以上の同タイプのモチーフを備えている複数のシートを、１以上の別タイプのモチーフを備えているシートと綴じることによって、例えば、２つの「雄」タイプ切込みモチーフを備えた３枚のシートと、２つの「雌」タイプ切込みモチーフを備えた１枚のシートを綴じることによって、綴じることができる。さらに、別のシートと比較して唯一の切込みモチーフ（雄又は雌）を備えているシートは、書類の最初のシート（「前カバー」）又は最後のシート（「後カバー」）とすることができる。
【００４３】
また、ページは、シートの角部のうち一箇所を使用して綴じることもできる。
【００４４】
例として、図５ａは、シート２１の左上側角部に近接して形成されたスリットを示している。スリットは、点ＡとＢを接続する直線であり、点Ａはシートの上縁から距離ｐに存在し、点Ｂは前記シート２１の上縁から距離ｑに存在する。このスリットは、別のシート上に形成された「雄」切込みモチーフと関連しており（図５ｂ参照）、前記モチーフは、点ＡとＢとを隔てている距離と同じ寸法か、それよりも短い長さである中央部ＣＤの両側に２つの切込みｉを備え、点ＣとＤは、線ＡＢと等しいレベルの線ＣＤ上に配置されている。
【００４５】
スリットＡＢは、切込みｉ、例えばスリットＡＢに対して垂直な切込みを備えることができる（図６参照）、及び／又は、「雄」切込みモチーフが、折り線ｊ、例えば、点Ｃから始まる折り線及び点Ｄから始まる折り線を備えることができる（図７参照）。
【００４６】
上述した切込みモチーフ及び折り線を作るために、特許文献１に記載されているような印刷及びカット装置を使用することができる。カットの線（例えば切込みモチーフを作るための）は、吸収性インクにより各々の紙のシート上に前記カットの線を印刷するとともに、吸収性インクによりインクを付けられた領域によって吸収される波長で照射されるレーザービームを、各々のシートに当てることによって得られる。レーザーは低出力レーザーであるが、切除を達成するのに十分な出力を有しており、この切込みは、紙の（カットの線に沿った）全切除又は（折り線に沿った）部分切除である。この吸収性インク及びレーザーの特性は、特許文献１に記載されている。
【００４７】
また、本発明の実施形態は、記憶媒体に受け入れられるのに好適なコンピュータプログラム製品を含むことができ、本発明の方法を実行するようなやり方でコンピュータをプログラムするために使用されるのに十分な命令を含んでいる。記憶媒体は、任意のタイプのディスクを含むことができ、この任意のタイプのディスクは、フロッピーディスク（登録商標）、光ディスク、ＣＤ−ＲＯＭ、光磁気ディスク、ＲＯＭ、ＲＡＭ、ＥＰＲＯＭ、ＥＥＰＲＯＭ、即時型メモリー（「フラッシュメモリー」）、磁気又は光カード、又は電子の命令を記憶するのに好適な任意のタイプの媒体を含むが、限定はされない。
【００４８】
また、本発明は、有利には、コンピュータの分野に従事している当業者には明らかなように、本明細書の教えに従ってプログラムされた、従来のプログラムにより使用され得る。ソフトウェアの適当なコーディングは、ソフトウェアの分野に従事している当業者には明らかなように、本記述内の教えに基づいて有能なプログラマーによって、用意されることができる。特に、本発明によるカット及び印刷のためのコンピュータプログラムは、この分野で普通の能力を有する当業者には明らかなように、様々なプログラム言語で書くことができ、プログラム言語は、Ｃ、Ｃ＋＋、Ｆｏｒｔｒａｎ、及びＢａｓｉｃを含むが限定はされない。また、本発明は、当業者には明らかなように、特定用途向け集積回路を準備することによって、又は、従来の回路部品の好適なネットワークを一つに接続することによって、活用することができる。
【００４９】
好適には、文書処理ソフトウェア又は、プリンタドライバソフトウェアを使用して様々なシート上の切込みモチーフの位置、それらの寸法、及びそれらの配置を画定し、紙綴じのために使用されるモチーフを正確に配置し、容易に綴じることができるシートを作る。特に、文書のページ数及び紙の厚さは、文書処理ソフトウェア又は印刷及びカット装置と関連するソフトウェアによって使用され、各々のシート上の切込みモチーフの位置を画定することができる。このようにして、コンピュータ及びソフトウェアが使用され、「雄」及び「雌」タイプ切込みモチーフ及び追加の折り目及び／又はカットの線が配置された各々のシート（テキスト、図、イラスト等）の印刷された内容を正確に配置することができる。ソフトウェアは特許文献１に記載されているような印刷及びカット装置の使用を容易にし、シートの紙綴じに使用される両方の切込みを作ることができ、同一の装置でシートに印刷することができる。
【００５０】
ソフトウェアは、余白の寸法、すなわち、切込みの線と印刷領域との間の空白を、所望の結果による要求に応じて、正確に調整することを可能にする。例として、ソフトウェアは、２枚の連続したシートにわたる大きな写真を配置及び印刷可能にするために、余白に対して、ゼロの値を生成することもできる。
【００５１】
本発明によって提案された「オールペーパー」紙綴じ解決策は、ステープル又は紙クリップのような通常の固定手段の使用を不必要にする。これによって、最初に固定手段を取り除く必要なしに、シュレッダーに通すことによって、切り刻むことができる、綴じられたシートが作られる。
【図面の簡単な説明】
【００５２】
【図１ａ】本発明の第１変形形態によって、２枚のシートを綴じるための、第１シートの「雌」タイプ切込みモチーフを作るステップの上面図である。
【図１ｂ】本発明の第１変形形態によって、２枚のシートを綴じるための、第２シートの「雄」タイプ切込みを作るステップの上面図である。
【図２】図１ａの変形形態を示す図である。
【図３】図１ｂの変形形態を示す図である。
【図４ａ】本発明の第２変形形態によって、２枚のシートを綴じるための、第１シートの「雌」タイプ切込みモチーフを作るステップの上面図である。
【図４ｂ】本発明の第２変形形態によって、２枚のシートを綴じるための、第２シートの「雄」タイプ切込みモチーフを作るステップの上面図である。
【図５ａ】本発明の第３変形形態によって、２枚のシートを綴じるための、第１シートの角部に「雌」タイプ切込みモチーフを作るステップの上面図である。
【図５ｂ】本発明の第３変形形態によって、２枚のシートを綴じるための、第２シートの角部に「雄」タイプカットを作るステップの上面図である。
【図６】図５ａの変形形態を示す図である。
【図７】図５ｂの変形形態を示す図である。
【符号の説明】
【００５３】
１  第１シート
２  第２シート
３  タブ
４  タブ
５  切抜き部
１１  第１シート
１２  第２シート
２１  第１シート
２２  第２シート
【図１ａ】
2009511301.tif 000003
【図１ｂ】
2009511301.tif 000004
【図２】
2009511301.tif 000005
【図３】
2009511301.tif 000006
【図４ａ】
2009511301.tif 000007
【図４ｂ】
2009511301.tif 000008
【図５ａ】
2009511301.tif 000009
【図５ｂ】
2009511301.tif 000010
【図６】
2009511301.tif 000011
【図７】
2009511301.tif 000012
【国際調査報告】
2009511301.tif 000013
2009511301.tif 000014
2009511301.tif 000015
2009511301.tif 000016